(57)【特許請求の範囲】
【請求項１】
下記の一般式（１）で表されるプロレングリコールアルキルエーテル１０〜９０重量％と常圧での沸点が８０℃以上１６０℃未満であるノルマルパラフィン、イソパラフィンおよびナフテンから選ばれた少なくとも１種の炭化水素１０〜９０重量％とを必須成分として含むことを特徴とするインキおよびペースト用洗浄剤組成物。
【化１】
0003586512.tif 000011
（ただし、式中Ｒ１  は炭素数１〜３のアルキル基、Ｒ２  は炭素数１〜３のアルキル基または水素原子を表す。）
【請求項２】
請求項１記載の洗浄剤組成物に、下記の一般式（２）、（３）および（４）で表されるオキシイソ酪酸エステルより選ばれた少なくとも１種の化合物を加えてなる請求項１記載のインキおよびペースト用洗浄剤組成物。
【化２】
0003586512.tif 000012
【化３】
0003586512.tif 000013
【化４】
0003586512.tif 000014
（ただし、前記各式中、Ｒ３  およびＲ４  は炭素数１〜４のアルキル基を表す。）
【発明の詳細な説明】
【０００１】
【発明の属する技術分野】
本発明はインキおよびペーストの洗浄剤組成物に関するものであり、更に詳しくはレジストインキ、オフセットインキ、ＵＶインキ、グラビアインキ、スクリーン印刷用インキ、フレキソインキ等の各種インキやソルダーペースト、カーボンペースト、メタルペースト等の各種ペーストの洗浄、剥離に適した洗浄剤組成物に関する。
本発明のインキおよびペースト用洗浄剤組成物は印刷工業、塗料工業あるいは電子工業など多くの場面で用いることが出来る。
【０００２】
【従来の技術およびその問題点】
従来、各種印刷、電子回路板製造、あるいは計器板製造など幅広い分野でインキ、ペーストが使用されているが、耐候性、作業性あるいは精度の向上を図るため、種々のインキ、ペーストが開発され、使い分けられている。
【０００３】
通常、各種インキ、ペーストを用いた印刷で、インキ、ペーストの種類あるいは色替え、版替えおよび中断後に再開する際などに、インキ壷、インキ供給ローラーなどのインキ供給系や各種印刷用スクリーン版、メタルマスク版、グラビア版などに付着したインキ、ペーストを洗浄除去する必要がある。しかし、インキ、ペーストはその種類、例えばベースポリマーの種類、あるいは紫外線硬化、熱硬化または蒸気硬化などの硬化機構の種類などにより、溶剤に対する溶解性が非常に異なるため、どのインキ、ペーストにも適応可能な洗浄力を有するためには強力な溶解力が要求される。
【０００４】
このため従来は、上記用途のインキ、ペースト洗浄剤としては、溶解力の大きな１，１，１ートリクロルエタンやトリクロルエチレンなどのハロゲン化炭化水素を主剤としたものが広く用いられている（例えば、特開昭６０ー２３８３９８号公報、特開昭６２ー１５８７９８号公報、特開平２ー７３８９９号公報）。しかし、これらのハロゲン化炭化水素系の溶剤は人体に対する毒性が懸念されるうえ、オゾン層破壊という地球環境保全面での問題も生じ、その使用が規制されつつある。
【０００５】
このため、人体への安全性が高く、また環境破壊のないインキ、ペースト洗浄剤として乳酸アルキルエステルを主成分とするものが提案されている（特開平３ー４１１７０号公報）。乳酸アルキルエステルは低毒性であり、環境破壊、環境蓄積などもなく非常に安全性の高い溶剤ではあるが、ポリマー系のインキに対する溶解力が不十分であり、インキやペーストの洗浄剤としては未だ満足できるものではない。
【０００６】
【発明が解決しようとする課題】
このように、当業技術分野では、非ハロゲン系溶剤を主成分とし、人体に対する毒性や安全性上の問題がなく、環境破壊物質の大気および水系への排出がなく、環境への蓄積もなく、乾燥性の良好な、しかも各種印刷インキ、ペースト類に対し高い溶解力を有する洗浄剤の開発が重要な課題になっている。
【０００７】
本発明は、前述したような従来のハロゲン系洗浄剤や、乳酸アルキルエステル系の代替洗浄剤の持つ欠点を克服し、低毒性で安全な溶媒系からなり、各種インキやペーストに対する洗浄能力が高く、環境破壊物質の大気および水系への排出が無く、環境への蓄積もなく、不快臭も無く、しかも沸点も比較的高く安全で操作性の良いインキおよびペースト用洗浄剤組成物を提供することを目的としてなされたものである。
【０００８】
【課題を解決するための手段】
本発明者らは、前記の好ましい性質を有するインキおよびペースト用洗浄剤を開発すべく鋭意研究を重ねた結果、特定のプロピレングリコールアルキルエーテルと特定の炭化水素とからなる組成物が各種印刷インキ、ペースト類に対し高い溶解力を有し、著しく良好な洗浄、剥離作用を示し、かつ不快臭も無く、乾燥性に優れており、その目的に適合することを見いだし、本発明に到達した。
【０００９】
すなわち、本発明は、下記の一般式（１）で表されるプロレングリコールアルキルエーテル１０〜９０重量％と常圧での沸点が８０℃以上１６０℃未満であるノルマルパラフィン、イソパラフィンおよびナフテンから選ばれた少なくとも１種の炭化水素１０〜９０重量％とを必須成分として含むことを特徴とするインキおよびペースト用洗浄剤組成物に関する。
【化５】
Ｒ１  Ｏ−Ｃ３  Ｈ６  Ｏ−Ｒ２                ・・・（１）
（ただし、式中Ｒ１  は炭素数１〜３のアルキル基、Ｒ２  は炭素数１〜３のアルキル基または水素原子を表す。）
【００１０】
【発明の実施の形態】
以下、本発明を詳細に説明する。
本発明のインキおよびペースト用洗浄剤組成物は、プロピレングリコールアルキルエーテルと特定の炭化水素とを含有することが重要な点である。
【００１１】
プロピレングリコールアルキルエーテル（一般式（１）に相当）としては、プロピレングリコールモノメチルエーテル、プロピレングリコールモノエチルエーテル、プロピレングリコールモノノルマルプロピルエーテル、プロピレングリコールモノイソプロピルエーテル、プロピレングリコールジメチルエーテル、プロピレングリコールジエチルエーテル、プロピレングリコールジイソプロピルエーテル、プロピレングリコールメチルエチルエーテル、プロピレングリコールメチルノルマルプロピルエーテル、プロピレングリコールエチルノルマルプロピルエーテルなどが挙げられる。これらの中で、プロピレングリコールモノメチルエーテル、プロピレングリコールモノエチルエーテル、プロピレングリコールモノノルマルプロピルエーテル、プロピレングリコールモノイソプロピルエーテルが洗浄性、乾燥性の点から好ましい。特にプロピレングリコールモノメチルエーテル、プロピレングリコールモノノルマルプロピルエーテルが好ましい。これらのプロピレングリコールアルキルエーテルは単独で用いてもよいし、また２種類以上を組み合わせて用いてもよい。
【００１２】
上記一般式（１）のプロピレングリコールアルキルエーテルにおいて、Ｒ１  またはＲ２  が炭素数４以上のアルキル基の場合、またはプロピレングリコールアルキルエーテルの代わりにジプロピレングリコールアルキルエーテル類やトリプロピレングリコールアルキルエーテル類を用いた場合には、洗浄剤組成物の乾燥性が著しく悪化するので好ましくない。
【００１３】
本発明で用いる炭化水素は、常圧での沸点が８０℃以上１６０℃未満であるノルマルパラフィン、イソパラフィンまたはナフテンである。具体例としては、ノルマルヘプタン、ノルマルオクタン、ノルマルノナン、イソヘプタン、イソオクタン、イソノナン、イソデカン、シクロヘキサン、メチルシクロヘキサン等があげられる。また、リグロイン、石油ナフサ等のノルマルパラフィン、イソパラフィン、ナフテンを主成分とする石油留分も用いられる。これらの中で、ノルマルオクタン、ノルマルノナン、イソオクタン、イソノナン、イソデカンまたはこれらを主成分とする石油留分が乾燥性の点から好ましい。特にイソオクタン、イソノナンが好ましい。これらの炭化水素は単独で用いてもよいし、また２種類以上を組み合わせて用いてもよい。炭化水素の沸点が８０℃以下の場合には引火点が低くなること、また１６０℃以上の場合には乾燥性が悪くなるので好ましくない。
【００１４】
本発明のインキおよびペースト用洗浄剤組成物におけるプロピレングリコールアルキルエーテルの割合は、その用途や配合などにより異なるが、通常は１０〜９０重量％、好ましくは２０〜９０重量％、特に好ましくは３０〜９０重量％である。
【００１５】
本発明のインキおよびペースト用洗浄剤組成物における炭化水素の割合は、その用途や配合などにより異なるが、通常は１０〜９０重量％、好ましくは１０〜８０重量％、特に好ましくは１０〜７０重量％である。
【００１６】
本発明におけるプロピレングリコールアルキルエーテルと炭化水素を含有する洗浄剤組成物は、下記の一般式（２）、（３）または（４）で表されるオキシイソ酪酸エステルを併用することができる。これにより洗浄効果が一層向上する。
【化５】
0003586512.tif 000002
【化６】
0003586512.tif 000003
【化７】
0003586512.tif 000004
（ただし、前記各式中、Ｒ３  およびＲ４  は炭素数１〜４のアルキル基を表す。）
【００１７】
オキシイソ酪酸アルキルエステルとしては、αーメトキシイソ酪酸メチル、αーメトキシイソ酪酸エチル、αーエトキシイソ酪酸メチル、αーエトキシイソ酪酸エチルなどのαーアルコシイソ酪酸アルキルエステル（一般式（２）に相当）、βーメトキシイソ酪酸メチル、βーメトキシイソ酪酸エチル、βーエトキシイソ酪酸メチル、βーエトキシイソ酪酸エチルなどのβーアルコシイソ酪酸アルキルエステル（一般式（３）に相当）、αーヒドロキシイソ酪酸メチルまたはαーヒドロキシイソ酪酸エチルなどのαーヒドロシイソ酪酸アルキルエステル（一般式（４）に相当）が挙げられる。特にβーメトキシイソ酪酸メチルまたはαーヒドロキシイソ酪酸メチルが洗浄力の点から好ましい。これらのオキシイソ酪酸アルキルエステルとしては単独で用いてもよいし、また２種類以上を組み合わせて用いてもよい。
【００１８】
前記洗浄剤組成物にオキシイソ酪酸アルキルエステル類を併用する場合、その含有量は用途や配合などにより異なるが、前記洗浄剤組成物５０〜９９重量部に対してオキシイソ酪酸アルキルエステル類が１〜５０重量部の範囲とするのがよい。
【００１９】
また、本発明における洗浄剤組成物は、水やアルコール類、エステル類、エーテル類、ケトン類、アミド類などの他の有機溶剤とも良く相溶するし、各種のインキ、ペースト類に対して優れた洗浄作用や、水リンス性能の付与など優れた性能を発揮することがある。このため、本発明における洗浄剤組成物は、水や他の有機溶剤と混合して用いることもできる。
【００２０】
本発明の洗浄剤組成物は、レジストインキ、オフセットインキ、ＵＶインキ、グラビアインキ、シルクスクリーンインキ、フレキソインキ等の各種インキ、ソルダーペースト、カーボンペースト、メタルペースト等の各種ペーストに対して有効に適用できる。また、本発明の洗浄剤組成物により洗浄する被洗浄物としては、例えば印刷工程で使用されるインキ壷、インキ供給ローラー等のインキ供給部品、印刷用スクリーン版、メタルマスク版、グラビア版等の各種印刷版およびスキージ等のスクリーン印刷時に使用される付属品等が挙げられる。
【００２１】
本発明の洗浄剤組成物を用いてインキ、ペーストを洗浄する場合、その洗浄方法としては、超音波洗浄、スプレー洗浄、液中噴流洗浄、浸漬洗浄や、洗浄剤を染み込ませたウエス等での拭き取りによる洗浄等の方法が用いられる。
【００２２】
【実施例】
以下、本発明を実施例および比較例によって具体的に説明するが、本発明は以下の実施例に何ら限定されるものではない。
【００２３】
（１）インキまたはペーストの洗浄性評価試験
表面を研磨したステンレス（ＳＵＳ−３０４）板（５０×２０×２ｍｍ）に下記Ａ〜Ｅの市販インキまたはペーストをバーコーダーで均一に塗布したものを被洗物として用いた。
Ａ  ：  計器板文字用インキ（緑色、セルロース系）
Ｂ  ：  ソルダーレジストインキ（緑色、２液型）
Ｃ  ：  グラビアインキ（包装紙用、溶剤型）
Ｄ  ：  ソルダーペースト（ＲＭＡタイプ）
Ｅ  ：  カーボンペースト（フェノール系）
インキまたはペーストを塗布してから１時間後、本発明の組成の洗浄剤（液温２０℃）の入った超音波洗浄機中に被洗物を投入し、３０秒間超音波洗浄し、乾燥した後、残存付着量を測定し評価した。なお、残存付着量の測定は目視および光学顕微鏡にて判定した。
◯  ：  目視及び光学顕微鏡にて残存付着物なし
△  ：  目視では残存付着物はないが、光学顕微鏡ではあり
×  ：  目視にて残存付着物あり
【００２４】
（２）洗浄剤の乾燥性評価試験
直径９ｃｍのシャーレ中に直径６ｃｍのＮｏ．４濾紙を１枚敷き、濾紙上に本発明の洗浄剤０．５ｇを平均的に塗布した。これをフード付き実験台（気温２０℃）に置き、洗浄剤が完全に蒸発するまでの時間を測定した。
◯  ：  ５分未満で完全に蒸発した
△  ：  ５分以上１０分未満で完全に蒸発した
×  ：  完全に蒸発するまでに１０分以上要した
【００２５】
実施例１〜１２
本発明の洗浄剤組成物について、インキまたはペースト用としての洗浄性評価試験並びに洗浄剤の乾燥性評価試験を行った。試験に使用した洗浄剤組成物を表１に、また評価試験の結果を表２に示す。
【００２６】
0003586512.tif 000005
0003586512.tif 000006
0003586512.tif 000007
【００２７】
0003586512.tif 000008
【００２８】
比較例１〜６
従来、インキまたはペースト用として使用されている洗浄剤を用いた以外は上記実施例と同様な方法で洗浄性評価試験並びに乾燥性評価試験を行った。試験に使用した洗浄剤組成物を表３に、また評価試験の結果を表４に示す。
【００２９】
0003586512.tif 000009
【００３０】
0003586512.tif 000010
【００３１】
【発明の効果】
本発明のインキおよびペースト洗浄剤組成物は次のような利点を有する。
（１）各種インキ、ペースト類に対する溶解性が極めて高い。
（２）不快臭がない。
（３）乾燥性に優れている。
（４）低毒性であり、安全性が高い。
（５）生分解性があり、自然界への蓄積がない。
（６）各種印刷版や印刷関連部品などに使用される部材を侵さない。
（７）所要の各成分を単に混合するだけで、容易に調製できる。